(57)【要約】      （修正有）【課題】建物の下地材と外装材の間隔をできるだけ狭くし、かつ確実に位置決めできる不陸調整金具を提供する。【解決手段】下地材１１０の不陸を調整して外装材１３０を取り付けるための不陸調整金具３００であって、下地材１１０に固定される不陸調整板４００と、不陸調整板４００の法線方向に位置を調整可能に設けられる支持調整板５００と、支持調整板５００の後側へ延びるように固定され、不陸調整板４００を貫通して下地材に空けた調節穴１２０に挿通される調節ボルト６００と、外装材１３０を係止可能かつ接着可能に支持調整板５００に固定される支持金具２００と、調節ボルト６００に螺合可能に不陸調整板４００の後側に固定される緩止め金具７００と、を有し、緩止め金具７００は、調節ボルト６００を貫通させるための中抜孔に、中央へ向かって突出し弾力性によって調節ボルト６００のネジ溝に沿って食込み可能に設けた突片を有する。【選択図】図１
2020204174.tif 000002
【特許請求の範囲】
【請求項１】
下地材の不陸を調整して外装材を取り付けるための不陸調整金具であって、
前記下地材に固定される不陸調整板と、
前記不陸調整板の法線方向に位置を調整可能に設けられる支持調整板と、
前記支持調整板の後側へ延びるように固定され、前記不陸調整板を貫通して前記下地材に空けた調節穴に挿通される調節ボルトと、
前記外装材を係止可能かつ接着可能に前記支持調整板に固定される支持金具と、
調節ボルトに螺合可能に前記不陸調整板の後側に固定される緩止め金具と、を有し、
前記緩止め金具は、前記調節ボルトを貫通させるための中抜孔に、中央へ向かって突出し弾力性によって前記調節ボルトのネジ溝に沿って食込み可能に設けた突片を有する、
ことを特徴とする不陸調整金具。
【請求項２】
前記調節ボルトは、頭部が前記支持調整板の厚みに収まる、
ことを特徴とする請求項１に記載の不陸調整金具。
【請求項３】
前記突片は、３つに分けて間欠的に設けられる、
ことを特徴とする請求項１又は２に記載の不陸調整金具。
【請求項４】
前記緩止め金具は、前記下地材に空けた調節穴に収まる、
ことを特徴とする請求項１乃至３の何れか一に記載の不陸調整金具。
【発明の詳細な説明】
【技術分野】
【０００１】
本発明は、建物の外壁を乾式施工する際に壁面の不陸を調整して躯体に外装材を取り付けるための不陸調整金具に関する。
【背景技術】
【０００２】
建物の外壁においては、コンクリートなどの下地材に、タイルや石材などの外装材（仕上材）が貼り付けられる。なお、下地材にモルタル等を使用して外装材を直接貼着する湿式工法や、下地材に固定した支持金具に外装材を係止して弾性接着剤等で貼着する乾式工法などがある。下地材としては、ＰＣ（プレキャストコンクリート）板、ＡＬＣ（高温高圧蒸気養生された軽量気泡コンクリート）パネル、ＥＣＰ（押出成形セメント板）などがある。
【０００３】
例えば、鉄筋コンクリート（ＲＣ）造の建物を乾式工法で仕上げる場合、躯体壁面に打設されたコンクリート（下地材）にアンカーを打ち込んで支持金具を固定し、支持金具を利用してタイル（外装材）を係止する。なお、下地材の表面に凹凸（不陸）がある場合でも、支持金具で外装材との間隔を調整することもある。
【０００４】
特許文献１に記載されているように、壁面の不陸を調整して躯体の外装材を取り付けるタイルユニットの発明も開示されている。また、特許文献２に記載しているように、躯体と外装材の間隔をできるだけ狭く保ちながら壁面の不陸を調整して躯体に外装材を取り付ける外装材取付具の発明も開示されている。
【先行技術文献】
【特許文献】
【０００５】
【特許文献１】特開２０１８−００９４１４号公報
【特許文献２】特許第５８１８１９３号公報
【発明の概要】
【発明が解決しようとする課題】
【０００６】
しかしながら、下地材と外装材の間に形成された通気層によって湿気を排出することが可能であるが、都市部など建物が密集している場所で施工する場合、通気層の間隔をできるだけ狭くしたい要請もある。既に隣接する建物が存在している場合、境界線がはっきりせず建物の一部がはみ出していることもあり、後から施工・補修する際に作業場所が制限されることもある。
【０００７】
特許文献１に記載の発明では、不陸調整用ボルトによって不陸を調整しているが、支持金具としてＬ字状の下地金物などを使用すると間隔が広くなってしまう。また、特許文献２に記載の発明では、調節支持ボルトによって支持金具の位置決めをしているが、少なくとも調節支持ボルトを固定するためのナットや調節支持ボルトの頭部の分だけ間隔が取られてしまう。
【０００８】
そこで、本発明は、建物の下地材と外装材の間隔をできるだけ狭くし、かつ不陸を調整する際に確実に位置決めできる不陸調整金具を提供することを目的とする。
【課題を解決するための手段】
【０００９】
上記の課題を解決するために、本発明は、下地材の不陸を調整して外装材を取り付けるための不陸調整金具であって、前記下地材に固定される不陸調整板と、前記不陸調整板の法線方向に位置を調整可能に設けられる支持調整板と、前記支持調整板の後側へ延びるように固定され、前記不陸調整板を貫通して前記下地材に空けた調節穴に挿通される調節ボルトと、前記外装材を係止可能かつ接着可能に前記支持調整板に固定される支持金具と、調節ボルトに螺合可能に前記不陸調整板の後側に固定される緩止め金具と、を有し、前記緩止め金具は、前記調節ボルトを貫通させるための中抜孔に、中央へ向かって突出し弾力性によって前記調節ボルトのネジ溝に沿って食込み可能に設けた突片を有する、ことを特徴とする。
【００１０】
また、前記不陸調整金具において、前記調節ボルトは、頭部が前記支持調整板の厚みに収まる、ことを特徴とする。
【００１１】
また、前記不陸調整金具において、前記突片は、３つに分けて間欠的に設けられる、ことを特徴とする。
【００１２】
また、前記不陸調整金具において、前記緩止め金具は、前記下地材に空けた調節穴に収まる、ことを特徴とする。
【発明の効果】
【００１３】
本発明によれば、建物の下地材と外装材の間に介在させる支持調整板を、調節ボルトの頭部の高さ（厚み）にし、通気層において調節ボルトを固定するためのナットを無くして、調節ボルトが下地材に埋め込まれる側で固定することにより、通気層の幅を狭くすることができる。これにより、建物が密集している場所で既に隣接する建物が存在している場合でも作業場所を確保して容易に施工することができる。
【図面の簡単な説明】
【００１４】
【図１】本発明である不陸調整金具を用いて外装材を取り付けた外壁を示す正面図（外装材透過）及び右側面（断面）図である。
【図２】本発明である不陸調整金具を分解した状態を示す側面（断面）図である。
【図３】本発明である不陸調整金具の不陸調整板（緩止め金具付き）を示す背面図、平面図及び右側面図である。
【図４】本発明である不陸調整金具の不陸調整板から緩止め金具を取り外した状態を示す正面図、平面図及び右側面図である。
【図５】本発明である不陸調整金具の緩止め金具を示す背面図、平面図及び右側面図である。
【図６】本発明である不陸調整金具の不陸調整板（緩止め金具付き）を正面斜め及び背面斜めから写した写真である。
【図７】本発明である不陸調整金具の緩止め金具を正面及び背面から写した写真である。
【図８】本発明である不陸調整金具を用いて外装材を取り付ける状況を写した写真である。
【図９】本発明である不陸調整金具の不陸調整板に支持調整板を取り付けた状態及び高さを調整した状態を斜めから写した写真である。
【図１０】本発明である不陸調整金具の不陸調整板（緩止めナット付き）を正面斜めから写した写真である。
【発明を実施するための形態】
【００１５】
以下に、本発明の実施形態について図面を参照して詳細に説明する。同一機能を有するものは同一符号を付け、その繰り返しの説明は省略する場合がある。
【実施例１】
【００１６】
まず、本発明である不陸調整金具を用いて外装材を取り付けた外壁について説明する。なお、外装材側を前（表）側とし、下地材側を後（裏）側とする。図１は、不陸調整金具を用いて外装材を取り付けた外壁を示す（ａ）正面図（外装材を透過させた状態で示す）及び（ｂ）右側面（断面）図である。図２は、不陸調整金具を分解した状態を示す側面（断面）図である。
【００１７】
図１に示すように、建物の外壁１００を乾式工法で施工する場合、例えば、躯体に打設したコンクリート等を下地材１１０として、支持金具２００を用いてタイル等の外装材１３０が取り付けられる。支持金具２００は、例えば、横方向に長い板材が、上下方向に間欠的に複数段配置され、各段において複数の外装材１３０を係止する。なお、複数の支持片２１０を切曲げ加工により前側に突出させ、外装材１３０の下面を受ければ良い。
【００１８】
支持金具２００は、上部及び下部が後側、中間部が前側に来るように折曲げ加工することで横長でも湾曲しにくい。図２に示すように、後側の固定部２３０は、不陸調整金具３００と当接し、前側の当接部２４０は、外装材１３０と当接する。
【００１９】
また、支持金具２００は、ネジ穴やルーズホールを多数空けることで軽量化される。支持片２１０に載せた外装材１３０の裏面と、支持金具２００とは、接着剤１４０で固定される。接着剤１４０は、例えば、弾性接着剤などであり、任意の複数箇所にスポット状に貼り付ける。なお、支持金具２００に空いたルーズホール等を通して接着剤１４０を絡ませると良い。
【００２０】
支持金具２００を下地材１１０に固定する際、下地材１１０がコンクリートだと壁面に凹凸（不陸）が存在することがあるので、複数の不陸調整金具３００を支持金具２００の長手方向に間欠的に配置し、各々の不陸調整金具３００によって固定する面を平坦にして、支持金具２００が真っ直ぐとなるように保持する。なお、不陸調整金具３００は、不陸調整板４００、支持調整板５００、及び調節ボルト６００などからなる。
【００２１】
不陸調整板４００は、下地材１１０に固定される板材である。例えば、プラグ３１０を不陸調整板４００から下地材１１０に差し込み、ネジを締めることで固定すれば良い。支持調整板５００は、不陸調整板４００と平行に配置され、不陸調整板４００からの高さ（距離）を調整可能、すなわち、不陸調整板４００に対して法線方向（前後方向）に位置を調整可能に設けられる。支持調整板５００は、タッピングねじ等の留具２２０で支持金具２００と固定されれば良い。
【００２２】
調節ボルト６００は、例えば、六角ボルト等であり、支持調整板５００の後側にネジが延びるように固定される。調節ボルト６００は、不陸調整板４００を貫通し、下地材１１０に空けた調節穴１２０に挿通される。図２に示すように、調節ボルト６００の軸部６２０を支持調整板５００のネジ部５２０に螺合させながら貫通させ、調節ボルト６００の頭部６１０を支持調整板５００の凹部５１０に収容して締結する。すなわち、調節ボルト６００の頭部６１０の高さは、支持調整板５００の厚みに収まるようにする。
【００２３】
また、調節ボルト６００は、不陸調整板４００に螺合させる。調節ボルト６００を捻じ込む位置によって、支持調整板５００の不陸調整板４００からの高さが変動する。なお、調節ボルト６００が緩まないように、不陸調整板４００の後側、すなわち、調節穴１２０の側に緩止め金具７００が固定され、調節ボルト６００に螺合させる。
【００２４】
支持金具２００や不陸調整金具３００を使用することで、下地材１１０と外装材１３０との間に通気層１５０が確保される。通気層１５０は、少なくとも、支持金具２００、不陸調整板４００、支持調整板５００などの厚み以上となる。従来においては、約８０ｍｍ以上の間隔であったが、調節ボルト６００を固定するためにナットを使用したとしても約４０ｍｍまで狭くなり、ナットの代わりに緩止め金具７００を使用すると約２８ｍｍまで狭くなる。
【００２５】
次に、不陸調整金具によって通気層を狭くする方法について説明する。図３は、不陸調整金具の不陸調整板（緩止め金具が付いた状態で示す）を示す（ａ）背面図、（ｂ）平面図及び（ｃ）右側面図である。図４は、不陸調整金具の不陸調整板から緩止め金具を取り外した状態を示す（ａ）正面図、（ｂ）平面図及び（ｃ）右側面図である。図５は、不陸調整金具の緩止め金具を示す（ａ）背面図、（ｂ）平面図及び（ｃ）右側面図である。
【００２６】
また、図６は、不陸調整金具の不陸調整板（緩止め金具付き）を（ａ）正面斜め及び（ｂ）背面斜めから写した写真である。図７は、不陸調整金具の緩止め金具を（ａ）正面及び（ｂ）背面から写した写真である。
【００２７】
図３及び図６に示すように、不陸調整板４００の裏面には、緩止め金具７００が加締め打ちにより固定される。不陸調整板４００の表側から貫通させた調節ボルト６００の軸部６２０を緩止め金具７００で押さえ付ける。不陸調整板４００の表側（通気層１５０側）で、調節ボルト６００をナット等で留める必要はなく、ナット等の厚みが節約される。
【００２８】
図４及び図６に示すように、不陸調整板４００は、表面が平坦な板材４１０の中央に、調節ボルト６００を通すための中央孔４２０と、板材４１０を下地材１１０に固定するための留孔４３０が空けられる。下地材１１０に不陸があっても、不陸調整板４００が支持金具２００と平行となるように固定されれば良い。
【００２９】
中央孔４２０の縁は、裏側（調節穴１２０側）に突出させた突部４４０が形成される。中央孔４２０を打抜き加工したときのバリを整えても良い。突部４４０は、緩止め金具７００を取り付ける際に、位置決めするためのガイドとなる。また、中央孔４２０及び突部４４０の内周面は、調節ボルト６００を螺合させるためのネジが形成されても良い。
【００３０】
図５及び図７に示すように、緩止め金具７００は、円板の中央部を後方に突出させ、中心には調節ボルト６００を通すための中抜孔７２０が空けられる。円板の前側に残った周縁部はフランジ７１０として、不陸調整板４００に当接される。
【００３１】
中抜孔７２０には、周縁部から中央に向けて複数の突片７３０を設ける。突片７３０は、例えば、３つに分けて間欠的に設ける場合は、扇形の中心を欠いたような形状にすれば良い。中抜孔７２０の中心に調節ボルト６００を通したときに、突片７３０の先端がネジ溝に入り込む程度に空いていれば良い。
【００３２】
突片７３０は弾力性を有し、調節ボルト６００のネジ溝に沿って捻られる。一周に渡ってネジ溝に食い込むことで、捻じ込んだ調節ボルト６００が緩まないように押さえ付けられる。突片７３０の先端を、調節ボルト６００の軸部６２０の外周面に沿った形状とすることで、軸部６２０との摩擦力が大きくなり、調節ボルト６００の緩みを抑制する。緩止め金具７００は、下地材１１０に空けた調節穴１２０に収まるように設ければ良いので、通気層１５０側の空間に影響しない。
【００３３】
次に、不陸調整金具による外装材の施工手順について説明する。図８は、不陸調整金具を用いて外装材を取り付ける状況、すなわち（ａ）取付前、（ｂ）不陸調整、（ｃ）高さ調整及び（ｄ）支持金具による外装材の取付けを写した写真である。図９は、不陸調整金具の（ａ）不陸調整板に支持調整板を取り付けた状態及び（ｂ）高さを調整した状態を斜めから写した写真である。
【００３４】
図８（ａ）に示すように、まず、下地材１１０に調節穴１２０を空けておく。図８（ｂ）に示すように、不陸調整金具３００のうち、不陸調整板４００をプラグ３１０等を用いて下地材１１０に固定する。なお、不陸調整板４００の中央孔４２０と、下地材１１０の調節穴１２０の位置が合うようにする。
【００３５】
図８（ｃ）及び図９に示すように、予め調節ボルト６００を固定した支持調整板５００を、不陸調整板４００に取り付ける。不陸調整板４００の中央孔４２０に、調節ボルト６００を捻じ込んでいけば良い。不陸調整金具３００は、横方向に間欠的に複数配置する。それぞれの支持調整板５００の高さを調整して、全ての支持調整板５００の表面が水平（一平面上）に並ぶようにする。
【００３６】
図８（ｄ）に示すように、複数の支持調整板５００を跨ぐように支持金具２００を固定する。支持金具２００は縦方向に間欠的に複数配置される。外装材１３０の上部と下部にそれぞれ支持金具２００が配置されれば良い。すなわち、支持金具２００は、上側の外装材１３０の下部と、下側の外装材１３０の上部を係止する、
【００３７】
支持金具２００及び不陸調整金具３００により、複数の外装材１３０が平坦に配列される。不陸調整金具３００に緩止め金具７００を用いることにより、外装材１３０と下地材１１０の間の通気層１５０の幅を最小限にすることができる。
【００３８】
本発明によれば、建物の下地材と外装材の間に介在させる支持調整板を、調節ボルトの頭部の高さ（厚み）にし、通気層において調節ボルトを固定するためのナットを無くして、調節ボルトが下地材に埋め込まれる側で固定することにより、通気層の幅を狭くすることができる。これにより、建物が密集している場所で既に隣接する建物が存在している場合でも作業場所を確保して容易に施工することができる。
【００３９】
以上、本発明の実施例を述べたが、これらに限定されるものではない。図１０は、不陸調整金具の不陸調整板（緩止めナット付き）を正面斜めから写した写真である。図１０に示すように、緩止め金具７００として緩止めナット等を使用しても良い。緩止めナットとしては、フリクションリングを組み込んだＵナット、くさび止め効果を利用したハードロックナット、溝付き六角ナット、二重ナット、座金や針金を利用したもの等がある。
【符号の説明】
【００４０】
１００：外壁
１１０：下地材
１２０：調節穴
１３０：外装材
１４０：接着剤
１５０：通気層
２００：支持金具
２１０：支持片
２２０：留具
２３０：固定部
２４０：当接部
３００：不陸調整金具
３１０：プラグ
４００：不陸調整板
４１０：板材
４２０：中央孔
４３０：留孔
４４０：突部
５００：支持調整板
５１０：凹部
５２０：ネジ部
６００：調節ボルト
６１０：頭部
６２０：軸部
７００：緩止め金具
７１０：フランジ
７２０：中抜孔
７３０：突片
【図１】
2020204174.tif 000003
【図２】
2020204174.tif 000004
【図３】
2020204174.tif 000005
【図４】
2020204174.tif 000006
【図５】
2020204174.tif 000007
【図６】
2020204174.tif 000008
【図７】
2020204174.tif 000009
【図８】
2020204174.tif 000010
【図９】
2020204174.tif 000011
【図１０】
2020204174.tif 000012
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
下地材の不陸を調整して外装材を取り付けるための不陸調整金具であって、
前記下地材に固定される不陸調整板と、
前記不陸調整板の法線方向に位置を調整可能に設けられる支持調整板と、
前記支持調整板の後側へ延びるように固定され、前記不陸調整板を貫通して前記下地材に空けた調節穴に挿通される調節ボルトと、
前記外装材を係止可能かつ接着可能に前記支持調整板に固定される支持金具と、
調節ボルトに螺合可能に前記不陸調整板の後側に固定される緩止め金具と、を有し、
前記緩止め金具は、前記調節ボルトを貫通させるための中抜孔に、中央へ向かって突出し弾力性によって前記調節ボルトのネジ溝に沿って食込み可能に設けた突片を有し、
前記下地材と前記外装材の間に前記調節ボルトを固定するためのナットを無くし、前記調節ボルトの頭部を前記支持調整板の厚みに収めて、通気層の幅を少なくとも前記不陸調整板、及び支持調整板及び前記支持金具の厚みにした、
ことを特徴とする不陸調整金具。
【請求項２】
前記突片は、３つに分けて間欠的に設けられる、
ことを特徴とする請求項１に記載の不陸調整金具。
【請求項３】
前記緩止め金具は、前記下地材に空けた調節穴に収まる、
ことを特徴とする請求項１又は２に記載の不陸調整金具。
【手続補正２】
【補正対象書類名】明細書
【補正対象項目名】０００９
【補正方法】変更
【補正の内容】
【０００９】
上記の課題を解決するために、本発明は、下地材の不陸を調整して外装材を取り付けるための不陸調整金具であって、前記下地材に固定される不陸調整板と、前記不陸調整板の法線方向に位置を調整可能に設けられる支持調整板と、前記支持調整板の後側へ延びるように固定され、前記不陸調整板を貫通して前記下地材に空けた調節穴に挿通される調節ボルトと、前記外装材を係止可能かつ接着可能に前記支持調整板に固定される支持金具と、調節ボルトに螺合可能に前記不陸調整板の後側に固定される緩止め金具と、を有し、前記緩止め金具は、前記調節ボルトを貫通させるための中抜孔に、中央へ向かって突出し弾力性によって前記調節ボルトのネジ溝に沿って食込み可能に設けた突片を有し、前記下地材と前記外装材の間に前記調節ボルトを固定するためのナットを無くし、前記調節ボルトの頭部を前記支持調整板の厚みに収めて、通気層の幅を少なくとも前記不陸調整板、及び支持調整板及び前記支持金具の厚みにした、ことを特徴とする。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
下地材の不陸を調整して外装材を取り付けるための不陸調整金具であって、
前記下地材に固定される不陸調整板と、
前記不陸調整板の法線方向に位置を調整可能に設けられる支持調整板と、
前記支持調整板の後側へ延びるように固定され、前記不陸調整板を貫通して前記下地材に空けた調節穴に挿通される調節ボルトと、
前記外装材を係止可能かつ接着可能に前記支持調整板に固定される支持金具と、
調節ボルトに螺合可能に前記不陸調整板の後側に突出した状態で固定される緩止め金具と、を有し、
前記緩止め金具は、前記調節ボルトを貫通させるための中抜孔に、中央へ向かって突出し弾力性によって前記調節ボルトのネジ溝に沿って食込み可能に設けた突片を有し、
前記不陸調整板は、後方に突出した前記緩み止めナットを取り付ける際の位置決めガイドとして、前記調節ボルトを貫通させるための中央孔の縁を裏側に突出させた突部を有し、
前記下地材と前記外装材の間に前記調節ボルトを固定するためのナットを無くし、前記調節ボルトの頭部を前記支持調整板の厚みに収めて、通気層の幅を少なくとも前記不陸調整板、及び支持調整板及び前記支持金具の厚みにした、
ことを特徴とする不陸調整金具。
【請求項２】
前記突片は、３つに分けて間欠的に設けられる、
ことを特徴とする請求項１に記載の不陸調整金具。
【請求項３】
前記緩止め金具は、前記下地材に空けた調節穴に収まる、
ことを特徴とする請求項１又は２に記載の不陸調整金具。
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
下地材の不陸を調整して外装材を取り付けるための不陸調整金具であって、
前記下地材に固定される不陸調整板と、
前記不陸調整板の法線方向に位置を調整可能に設けられる支持調整板と、
前記支持調整板の後側へ延びるように固定され、前記不陸調整板を貫通して前記下地材に空けた調節穴に挿通される調節ボルトと、
前記外装材を係止可能かつ接着可能に前記支持調整板に固定される支持金具と、
調節ボルトに螺合可能に前記不陸調整板の後側に突出した状態で固定される緩止め金具と、を有し、
前記緩止め金具は、前記調節ボルトを貫通させるための中抜孔に、中央へ向かって突出し弾力性によって前記調節ボルトのネジ溝に沿って食込み可能に設けた突片を有し、
前記不陸調整板は、後方に突出した前記緩止め金具を取り付ける際の位置決めガイドとして、前記調節ボルトを貫通させるための中央孔の縁を裏側に突出させた突部を有し、
前記下地材と前記外装材の間に前記調節ボルトを固定するためのナットを無くし、前記調節ボルトの頭部を前記支持調整板の厚みに収めて、通気層の幅を少なくとも前記不陸調整板、及び支持調整板及び前記支持金具の厚みにした、
ことを特徴とする不陸調整金具。
【請求項２】
前記突片は、３つに分けて間欠的に設けられる、
ことを特徴とする請求項１に記載の不陸調整金具。
【請求項３】
前記緩止め金具は、前記下地材に空けた調節穴に収まる、
ことを特徴とする請求項１又は２に記載の不陸調整金具。